(57)【特許請求の範囲】
【請求項１】
自動車フロント部分の日除けパネルと、並べて拡げることによりサイドウィンドウの全体を覆うことが可能な大きさに形成した２枚の日除けシートと、これら２枚の日除けシートを巻き取って前記日除けパネルの内側に設置する１対の巻き取りローラと、前記一の巻き取りローラの内面に形成したネジ溝に螺合して、前記一の日除けシートが巻き出されて前記一の巻き取りローラが回転することによって該巻き取りローラを日除けパネル側方に送り出す螺合軸と、この螺合軸により送り出された前記一の巻き取りローラに従動する前記一の日除けシートの下端部をスライド可能に保持する、前記他の日除けシートの下端部に設けたガイド部材とを備えた自動車用日除け。
【発明の詳細な説明】
【０００１】
【発明の属する技術分野】
本発明は自動車フロント部分のパネル型日除けに取り付けた巻き取り式の日除けに関する。詳細には、サイドウィンドウからの光の入射を確実に遮ることができる自動車用日除けに関する。
【０００２】
【従来の技術】
従来より自動車には、図４に示すように、自動車のフロントグラス４上方天井にアーム３を介して回動可能に取着したパネル型日除け１があった。このパネル型日除け１は、フロントグラス正面より日光が入射するときは、図中白矢印で示すように、パネル型日除け１を手前に倒して光を遮り、側方より日光が入射するときは、図中黒矢印で示すように、さらにパネル型日除け１をサイドウィンドウ側に回動させて側方からの光を遮るといった具合いにパネル型日除け１の回動操作がなされていた。
【０００３】
ところが、パネル型日除け１にあっては、図４に示すように、側方からの日光の入射を遮るためにサイドウィンドウ側に回動させたとき、パネル型日除け１の長さがサイドウィンドウの幅よりも短いことから、パネル型日除け１のみでサイドウィンドウ上部を覆いきれず隙間ができてしまい、側方からの日光の入射を完全に遮ることができなかった。
【０００４】
このため、パネル型日除け１の隙間から光が入射し、この光がフロント側座席に着座する者の目に入り、まぶしさで目が眩み、これが原因で交通事故が発生したりすることもあった。そこで、側方より光が目に入るような場合は、座者が前かがみになったり斜めになったりしてこれを避けるといった対応を与儀なくされていた。
【０００５】
このように、側方からの日光の入射は、フロント側座席に着座する者にとって、疲労を増大させ、しかも安全運転上にも大きな悪影響を及ぼすことから、その改善が求められていた。
【０００６】
このような事情から、従来は、実開昭５５−１２０５１４号公報が提案する技術により上記の問題の解決を図っていた。この公報に記載の技術は、パネル状の日除けに、巻き取り可能なシート状の日除けを備えたものである。
【０００７】
ところが、上記公報に係る日除けにおいては、ルームミラーその他の部材等との抵触を避けるために、シート状の日除けの幅寸法がパネル型日除けの長手寸法内に収められているので、パネル状の日除けに取り付けた、内部に巻き取り可能なシート状の日除けがサイドウィンドウ全体を覆うことができないことから、その隙間から光線が室内に入って、結局運転に支障をきたすこととなっていた。
【０００８】
そこで、本発明者は上記の問題点に鑑み、巻き取り可能なシート状の日除けがサイドウィンドウ全体を覆うほど大型であって、しかも、ルームミラーその他の部材等に接触しないで取り扱うことができる日除けについて種々検討した結果、本発明を完成させたものである。
【０００９】
【発明の解決しようとする課題】
すなわち、本発明は、運転に支障をきたす光の入射を確実に遮ることができ、しかも、ルームミラーその他の部材等に接触しないで取り扱うことができる、自動車用日除けを提供することを目的とするものである。
【００１０】
【課題を解決するための手段】
上記目的を達成するため、本発明は、
「自動車フロント部分の日除けパネル１０と、並べて拡げることによりサイドウィンドウの全体を覆うことが可能な大きさに形成した２枚の日除けシート２１，２２と、これら２枚の日除けシート２１，２２を巻き取って前記日除けパネル１０の内側に設置する１対の巻き取りローラ３１，３２と、前記一の巻き取りローラ３１の内面に形成したネジ溝に螺合して、前記一の日除けシート２１が巻き出されて前記一の巻き取りローラ３１が回転することによって該巻き取りローラ３１を日除けパネル１０側方に送り出す螺合軸４０と、この螺合軸４０により送り出された前記一の巻き取りローラ３１に従動する前記一の日除けシート２１の下端部をスライド可能に保持する、前記他の日除けシート２２の下端部に設けたガイド部材５０とを備えた自動車用日除１００。」をその要旨とした。
【００１１】
すなわち、この請求項１に係る発明の自動車用日除け１００によれば、使用時には自動車フロント部分の日除けパネル１０を下方に引き起こし、その一端の係止を解除してサイドウィンドウ側に回動させる。そして、前記日除けパネル１０の下端から出ている日除けシート２２の端部を引っ張ることによって１対の巻き取りローラ３１，３２が同時に回転して日除けシート２１，２２が巻き出されるようになっている。このとき、巻き取りローラ３１の内面にはネジ溝が形成されていて、このネジ溝に螺合する螺合軸４０が巻き取りローラ３１の内側に挿入されているので、日除けシート２１が巻き出されるより巻き取りローラ３１も回転し、この巻き取りローラ３１が日除けパネル１０の側方へ送り出される。また、一方の日除けシート２２の下端部にはガイド部材５０が設けられていて、他方の日除けシート２１の下端部をスライド可能に保持するようになっている。このため、他方の日除けシート２１の下端部をつまんで下方に引き下げることで、２枚の日除けシート２１，２２が同時に巻き出されることになる。また、日除けシート２１の巻きだしに伴って、巻き取りローラ３１が日除けパネル１０の側方へ送り出されたとき、日除けシート２１の移動とともにその下端部も前記日除けシート２２のガイド部材５０によって保持されつつ、側方へスライドするようになっている。こうして引き出された日除けシート２１，２２によってサイドウィンドウの全体が覆われ、サイドウィンドウからの光の入射を確実に遮ることが可能となるものである。
【００１２】
一方、収納時には前記手順に対して、逆の手順を採ることによってコンパクトに収納するものである。
【００１３】
【発明の実施の形態】
以下、本発明に係る自動車用日除け１００を図面に示した実施例に従って詳細に説明する。
【００１４】
（実施例）
本実施例に係る自動車用日除け１００は、日除けパネル１０と、２枚の日除けシート２１，２２と、日除けシート２１，２２を巻き取る１対の巻き取りローラ３１，３２と、前記一の巻き取りローラ３１を日除けパネル１０の側方へ送り出す螺合軸４０と、日除けシート２１の下端をスライド可能に保持する他方のシートの下端部に設けたガイド部材５０とを有することを特徴とする。
【００１５】
まず、日除けパネル１０は、純正品と同様の作用を奏することは勿論、その内側に、日除けシート２１，２２と、これを巻き取る巻き取りローラ３１，３２を内包することができれば如何なる形状或いは構造のものとしてもよいが、具体的には、純正品と同等の形状としてその内側を中空とし、日除けパネルにおけるアームとの接続部分に対向する２辺にスリットを形成することが考えられる。
【００１６】
次に、２枚の日除けシート２１，２２は、並べて拡げることによってサイドウィンドウの全体を覆い、太陽光等の車内への入射を遮るものである。このような作用を奏するものであれば如何なる形状或いは材質であってもよいが、具体的には、２枚の日除けシートを並べて拡げ、サイドウィンドウの全体をを覆う大きさに形成することが考えられる。この日除シート２１，２２には側方からの運転に支障を生せしめる光を遮ることができ、なおかつ車内から側方を見通すことができるようなものを用いるとよい。具体的には、不織布や織布、編物のほか、透明又は半透明なプラスチックフィルムなどを用いることができる。なお、シート２１，２２は、運転者がサイドミラーを目視することができるように、サイドウィンドウの前端部分のみは覆わない形状とすることもできる。
【００１７】
また、このスライド可能な日除けシート２１の下端には吸盤或いはフック等の固定手段が取り付けられており、これらの固定手段によって、シート２１下端がサイドウィンドウ或いはセンターピラー等に固定されるようになっている。
【００１８】
次に、巻き取りローラ３１，３２は、上記説明の日除けシート２１，２２の巻き取り又は巻き出しを行うものであって、遮光のために拡げた日除けシート２１，２２を前記日除けパネル１０内に確実に巻き取ることができればいかなる構造のもであってもよい。具体的には、前記した日除けシート２１，２２を巻き付けて、なおかつ日除けパネル１０内に収納することが可能な太さに形成したパイプ状の物とすることが考えられる。このとき、一方の巻き取りローラの内側には、後記する螺合軸４０を挿入するために、ネジ溝を形成することが考えられる。
【００１９】
更に、螺合軸４０は、前記一の巻き取りローラ３１の内側に形成したネジ溝に螺合して、この巻き取りローラ３１が回転することによって該巻き取りローラ３１を日除けパネル１０の側方へ送り出すものである。なお、本実施例においては、一つの巻き取りローラ３１の内側にネジ溝を形成し、そのネジ溝に螺合軸を挿入するものとしたが、巻き取りローラ３１の周面に螺刻面を形成し、巻き取りローラ３１の外側にネジ溝を形成し、巻き取りローラ３１が回転することによって該巻き取りローラ３１を日除けパネルの側方へ送り出し可能とするものであってもよい。
【００２０】
ガイド部材５０は、日除けシート２２の下端部に設けられていて、他方の日除けシート２１の下端部をスライド可能に保持するようになっている。このため、他方の日除けシート２１の下端部をつまんで下方に引き下げることで、２枚の日除けシート２１，２２が一緒に巻き出されることになる。また、日除けシート２１の巻き出しに伴って、巻き取りローラ３１が日除けパネル１０の側方へ送り出されたとき、日除けシート２１の移動とともにその下端部も前記日除けシート２２のガイド部材５０によって保持されつつ、側方へスライドするようになっている。なお、ガイド部材５０は如何なる形状或いは構造のものとしてもよいが、図面に示すものは、日除けシート２１下端部にレールが設けられており、このレールが日除けシート２２下端部に設けたガイド部材であるレールに嵌まり込み、同レールによって保持されつつ、スライドするようになっている。なお、一方のシートの下端部に棒状のレールを設け、他方のシートにこれを保持するガイド部材５０としてのフックを設けるようにしても同様の作用を奏する。
【００２１】
なお、巻き取りローラ３１，３２における、巻き取り構造については、シート２１，２２を日除けパネル１０の内側に設けた空洞内に、ゼンマイバネ等のスプリングによって巻き取る構造のものを用いることが考えられる。具体的には、日除けパネル１０の長手方向に対して並行に設けた２本の巻き取りローラ３１，３２に、日除けシート２１，２２とゼンマイバネとを巻き付けて固定する。巻き取りローラ３１．３２の一端には、巻き取りローラ３１，３２に固着して日除けシート２１，２２を巻き取るゼンマイバネと、このゼンマイバネの弾性力を抑止する歯車と、この歯車による抑止を解除する解除部材とからなる巻き取り構造を設けるものとしてもよい。
【００２２】
なお、巻き取り構造としては、上記のもの以外に、手動により巻き取ったり、スプリングに代えてゴム等の伸縮材を使用したもの、或いは、電動モータにより作動させるものであってもよい。
【００２３】
【発明の効果】
以上詳細に説明したが、本発明に係る自動車用日除けは、自動車フロント部分の日除けパネルと、並べて拡げることによりサイドウィンドウの全体を覆うことが可能な大きさに形成した２枚の日除けシートと、これら２枚の日除けシートを巻き取って前記日除けパネルの内側に設置する１対の巻き取りローラと、前記一の巻き取りローラの内面に形成したネジ溝に螺合して、前記一の日除けシートが巻き出されて前記一の巻き取りローラが回転することによって該巻き取りローラを日除けパネル側方に送り出す螺合軸と、この螺合軸により送り出された前記一の巻き取りローラに従動する前記一の日除けシート下端部にこれを保持する、前記他の日除けシートの下端部に設けたガイド部材とを有することにその構成上の特徴を有し、運転に支障をきたす光の入射を確実に遮ることができ、しかも、ルームミラーその他の部材等に接触しないで取り扱うことができるという効果を奏するものである。
【００２４】
【図面の簡単な説明】
【００２５】
【図１】本発明に係る自動車用日除け１００の内部を示した図である。
【００２６】
【図２】図１に係る自動車用日除け１００の使用状態を示した図である
【００２７】
【図３】従来技術に係る日除けパネルの使用状態を示した図である。
【００２８】
【符号の説明】
１０    日除けパネル
２１    日除けシート
２２    日除けシート
３１    巻き取りローラ
３２    巻き取りローラ
４０    螺合軸
５０    ガイド部材
１００  自動車用日除け
【図１】
0003595854.tif 000002
【図２】
0003595854.tif 000003
【図３】
0003595854.tif 000004